【手続補正書】
【提出日】平成29年1月4日(2017.1.4)
【手続補正１】
【補正対象書類名】特許請求の範囲
【補正対象項目名】全文
【補正方法】変更
【補正の内容】
【特許請求の範囲】
【請求項１】
装置本体と、
前記装置本体に装着可能に設けられ、異なるサイズのシートを収納可能なシート収納部及び前記シート収納部にシート給送方向に沿って移動可能に配され、シートのシート給送方向上流側端の位置を規制するシート規制手段を有するシート収納手段と、
前記シート収納手段に収納されたシートを給送するシート給送手段と、
前記シート収納手段に収納されたシートのサイズを指定する指定手段と、
前記装置本体に設けられた複数のスイッチ、及び前記シート収納手段に設けられ、前記シート規制手段と連動して移動し、前記シート収納手段が前記装置本体に装着された状態で前記複数のスイッチをオン・オフするシートサイズ検出用部材を有するシートサイズ検知手段と、
前記シートサイズ検知手段から入力される前記複数のスイッチのオン・オフのパターンによりシートのサイズを判断し、前記指定手段によりシートのサイズが指定された際には、前記パターンが前記指定手段により指定されたシートのサイズのパターンと異なる所定のパターンの場合でも前記シート収納手段に収納されたシートのサイズが前記指定手段により指定されたシートのサイズと判断し、前記シート収納手段に収納されたシートのサイズが前記指定手段により指定されたシートのサイズであると判断した場合には、前記シート給送手段のシート給送動作を開始する制御手段と、を備えたことを特徴とする画像形成装置。
【請求項２】
前記所定のパターンは、前記シート規制手段が、前記指定手段により指定されたシートのシート給送方向上流側端を規制する正規の規制位置に対し、前記シート収納手段に収納されたシートのシート給送方向下流側端から前記シート給送手段がシートに当接する位置までの距離よりも短い所定距離だけシート給送方向上流にずれた位置にあるときのパターンであることを特徴とする請求項１記載の画像形成装置。
【請求項３】
前記指定手段により、ＡＢＫ系のシートのサイズ及びインチ系のシートのサイズの一方を指定することを特徴とする請求項１又は２に記載の画像形成装置。
【請求項４】
前記制御手段は、
収納される異なるサイズのシートＡ、Ｂ、Ｃの長さをそれぞれＬＡ、ＬＢ、ＬＣ、シートの給送が可能なシートのシート給送方向上流側の位置ズレ量をＬＰとし、ＬＢ−ＬＡ＜ＬＰ、ＬＣ−ＬＢ＜ＬＰである場合、前記所定距離をそれぞれα、β、γとすると、α、β、γは、ＬＢ−ＬＡ＜α＜ＬＰ、ＬＣ−ＬＢ＜β＜ＬＰ、γ＜ＬＰで表わされ、
前記シート収納手段に収納されたシートのシート給送方向下流側端を基準として前記シート規制手段の位置が（ＬＡ＋α）未満にあるときの前記複数のスイッチのオン・オフのパターンをパターンＸ、（ＬＡ+α）以上（ＬＢ＋β）未満にあるときのパターンをパターンＹ、（ＬＢ＋β）以上（ＬＣ＋γ）未満にあるときのパターンをパターンＺとすると、
前記指定手段による指定によりシートサイズＡ及びシートサイズＣを検知し、シートサイズＢを検知しない場合には、収納されているシートを、パターンＸの場合にはシートサイズＡと判定し、パターンＹ又はパターンＺの場合にシートサイズＣと判定し、シートサイズＡ及びＣを検知せず、シートサイズＢを検知する場合には、パターンＸ又はパターンＹの場合に収納されているシートをシートサイズＢであると判定することを特徴とする請求項２又は３に記載の画像形成装置。
【請求項５】
装置本体と、
前記装置本体に装着可能に設けられ、第１サイズ及び前記第１サイズよりも大きい第２サイズを含む複数のサイズのシートを収納可能であると共に、シートのシート給送方向下流側の端部の位置を規制する内壁を有するシート収納手段と、
前記内壁からシート給送方向上流側に所定の長さを有するシート給送範囲内にシートの前記シート給送方向下流側の端部が位置した状態で前記シート収納手段に収納されたシートを給送するシート給送手段と、
前記シート収納手段にシート給送方向の上流側及び下流側に向かって移動可能に配され、シートの前記シート給送方向上流側の端部の位置を規制するシート規制手段と、
前記シート規制手段の前記シート給送方向における位置を検出可能であり、前記内壁から前記シート給送方向上流側に向かって、前記第１サイズのシート給送方向長さに基づいて設定された第１距離離れた位置にある第１位置と、前記第１距離及び前記第２サイズのシート給送方向長さより長く、かつ、前記第１サイズのシート給送方向長さ及び前記シート給送範囲の長さの合計距離よりも短い第２距離だけ、前記内壁から前記シート給送方向上流側に向かって離れた第２位置と、前記第２距離よりも長く、かつ、前記第２サイズのシート給送方向長さ及び前記シート給送範囲の長さの合計距離よりも短い第３距離だけ、前記内壁から前記シート給送方向上流側に向かって離れた第３位置と、を検知可能に構成されているシートサイズ検知手段と、
前記シートサイズ検知手段からの検知信号に基づいて前記シート規制手段が前記第１位置と前記第２位置との間に位置すると判断した場合に、ユーザにより予め指定されたシートサイズが前記第１サイズの場合にはシートサイズを第１サイズと判断し、前記シート収納手段に収納されたシートのサイズが予め指定されたシートのサイズであると判断した場合には、前記シート給送手段のシート給送動作を開始する制御手段と、を備えたことを特徴とする画像形成装置。
【請求項６】
前記制御手段は、前記第１位置と前記第２位置との間の範囲を、前記第１サイズ及び前記第２サイズのいずれにも重複して関連付けをし、前記シートサイズ検知手段からの検知信号に基づいて前記シート規制手段が前記第１位置と前記第２位置との間に位置すると判断した場合に、予め指定されたシートサイズが前記第２サイズの場合にはシートサイズを第２サイズと判断することを特徴とする請求項５記載の画像形成装置。
【請求項７】
前記第１サイズと前記第２サイズとは、前記シート給送方向長さの差が前記シート給送範囲のシート給送方向長さよりも短く設定されており、
前記制御手段は、隣接するサイズ間の前記シート給送方向長さの差が前記シート給送範囲のシート給送方向長さ以上になるように構成された複数のサイズからなるサイズ群を複数有し、予め指定されたシートサイズに基づいて、これら複数のサイズ群のうちの一のサイズ群を選択して、選択された前記サイズ群の中のサイズからシートサイズを判断するように構成され、
前記予め指定されたシートサイズが前記第１サイズの場合、前記複数のサイズ群のうち、前記第１位置と前記第２位置との間の範囲が前記第１サイズと関連付けされた第１サイズ群を選択し、前記シートサイズ検知手段からの前記検知信号に基づいて前記シート規制手段が前記第１位置と前記第２位置との間に位置すると判断した場合には、格納されたシートが前記第１サイズであると判断し、
前記予め指定されたシートサイズが前記第２サイズの場合、前記複数のサイズ群のうち、前記第１位置と前記第２位置との間の範囲が前記第２サイズと関連付けされた第２サイズ群を選択し、前記シートサイズ検知手段からの前記検知信号に基づいて前記シート規制手段が前記第１位置と前記第２位置との間に位置すると判断した場合には、格納されたシートが前記第２サイズであると判断することを特徴とする請求項５又は６記載の画像形成装置。
【請求項８】
前記第１サイズ群はインチ系のシートのサイズ群であり、前記第２サイズ群はＡＢＫ系のシートのサイズ群であることを特徴とする請求項７記載の画像形成装置。
【請求項９】
前記シート収納手段に収納されたシートのサイズを指定する指定手段を備え、
前記制御手段は、前記指定手段からのサイズの指定に基づいて制御を行うことを特徴とする請求項５乃至８のいずれか１項に記載の画像形成装置。
【請求項１０】
前記シートサイズ検知手段は、複数のスイッチと、前記シート規制手段と連動して移動することで前記複数のスイッチをオン・オフするシートサイズ検出用部材と、を有し、前記複数のスイッチのオン・オフのパターンにより前記検知信号を出力することを特徴とする請求項５乃至９のいずれか１項に記載の画像形成装置。
【請求項１１】
前記制御手段は、収納される異なるサイズのシートＡ、Ｂ、Ｃの長さをそれぞれＬＡ、ＬＢ、ＬＣとし、前記シート給送範囲をＬＰとし、ＬＢ−ＬＡ＜ＬＰ、ＬＣ−ＬＢ＜ＬＰである場合、前記シート給送範囲より短い所定距離をそれぞれα、β、γとすると、α、β、γは、ＬＢ−ＬＡ＜α＜ＬＰ、ＬＣ−ＬＢ＜β＜ＬＰ、γ＜ＬＰで表わされ、
前記シート収納手段に収納されたシートのシート給送方向下流側端を基準として前記シート規制手段の位置が（ＬＡ＋α）未満にあるときの前記複数のスイッチのオン・オフのパターンをパターンＸ、（ＬＡ+α）以上かつ（ＬＢ＋β）未満にあるときのパターンをパターンＹ、（ＬＢ＋β）以上かつ（ＬＣ＋γ）未満にあるときのパターンをパターンＺとすると、
前記シートＡ又はシートＣが予め指定され、シートＢが予め指定されない場合には、収納されているシートを、前記パターンＸの場合にはシートＡと判定し、前記パターンＹ又は前記パターンＺの場合にシートＣと判定し、シートＡ及びシートＣが予め指定されず、シートＢが予め指定された場合には、前記パターンＸ又は前記パターンＹの場合に収納されているシートをシートＢであると判定することを特徴とする請求項５乃至１０のいずれか１項に記載の画像形成装置。
【手続補正２】
【補正対象書類名】明細書
【補正対象項目名】００１１
【補正方法】変更
【補正の内容】
【００１１】
本発明は、画像形成装置において、装置本体と、前記装置本体に装着可能に設けられ、異なるサイズのシートを収納可能なシート収納部及び前記シート収納部にシート給送方向に沿って移動可能に配され、シートのシート給送方向上流側端の位置を規制するシート規制手段を有するシート収納手段と、前記シート収納手段に収納されたシートを給送するシート給送手段と、前記シート収納手段に収納されたシートのサイズを指定する指定手段と、前記装置本体に設けられた複数のスイッチ、及び前記シート収納手段に設けられ、前記シート規制手段と連動して移動し、前記シート収納手段が前記装置本体に装着された状態で前記複数のスイッチをオン・オフするシートサイズ検出用部材を有するシートサイズ検知手段と、前記シートサイズ検知手段から入力される前記複数のスイッチのオン・オフのパターンによりシートのサイズを判断し、前記指定手段によりシートのサイズが指定された際には、前記パターンが前記指定手段により指定されたシートのサイズのパターンと異なる所定のパターンの場合でも前記シート収納手段に収納されたシートのサイズが前記指定手段により指定されたシートのサイズと判断し、前記シート収納手段に収納されたシートのサイズが前記指定手段により指定されたシートのサイズであると判断した場合には、前記シート給送手段のシート給送動作を開始する制御手段と、を備えたことを特徴とするものである。
【手続補正３】
【補正対象書類名】明細書
【補正対象項目名】００４６
【補正方法】変更
【補正の内容】
【００４６】
即ち、シート長さの差＜ピックアップ可能なズレ量（１５ｍｍ）の場合、例えば１６Ｋ（第２サイズ）とのシート長さの差が３．３ｍｍのＥＸＥＣ（第１サイズ）の場合、切り替えポイントを、内壁を基準としてＥＸＥＣのシート長さ＋１１．５ｍｍ（第２距離）であるポイント（第２位置）７２としている。また、ＬＴＲとのシート長さの差が９．４ｍｍの１６Ｋの場合、切り替えポイントを、内壁を基準として、１６Ｋのシート長さ＋１１．５ｍｍ（第３距離）であるポイント（第３位置）７３としている。また、ＬＴＲの場合は、切り替えポイントを、内壁を基準として、ＬＴＲのシート長さ＋１１．５ｍｍであるポイント７４としている。尚、ポイント（第１位置）７１は、ＥＸＥＣのシート長さと、ＥＸＥＣ及び１６Ｋのシート長さ差と、に基づいて設定された距離（第１距離）離れた位置に設けられている。